(57)【要約】【課題】インバータ回路により放電灯を点灯させる放電灯点灯装置において、放電灯が不良の場合に電力の消費を抑制する放電灯点灯装置を提供する。【解決手段】放電灯１１を点灯させる放電灯点灯装置１０００は、電力の供給を受けることにより放電灯１１が不良状態かどうかを検出する検出部１２３と、電力の供給を受けることにより検出部１２３による検出結果に基づきインバータ回路１１０の動作を制御するインバータ制御部１２２と、インバータ制御部１２２と検出部１２３とに電力を供給する制御電源回路１５０とを備えた。制御電源回路１５０は、検出部１２３による検出結果として放電灯１１が正常状態の場合にはインバータ制御部１２２と検出部１２３とに連続的に電力を供給し、検出部１２３による検出結果として放電灯１１が不良状態の場合にはインバータ制御部１２２と検出部１２３とに間歇的に電力を供給する。【選択図】図１
2007227335.tif 000002
【特許請求の範囲】
【請求項１】
インバータ回路の出力する高周波電力により放電灯を点灯させる放電灯点灯装置において、
電力の供給を受けることにより、放電灯が不良状態かどうかを検出する検出部と、
電力の供給を受けることにより、前記検出部による検出結果に基づき前記インバータ回路の動作を制御するインバータ制御部と、
前記インバータ制御部と前記検出部とに電力を供給する制御電力供給部と
を備え、
前記制御電力供給部は、
前記検出部による検出結果として放電灯が正常状態の場合には前記インバータ制御部と前記検出部とに連続的に電力を供給し、前記検出部による検出結果として放電灯が不良状態の場合には前記インバータ制御部と前記検出部とに間歇的に電力を供給することを特徴とする放電灯点灯装置。
【請求項２】
インバータ回路の出力する高周波電力により放電灯を点灯させる放電灯点灯装置において、
電力の供給を受けることにより、放電灯が不良状態かどうかと放電灯が置換されたかどうかとを検出する検出部と、
電力の供給を受けることにより、前記検出部による検出結果に基づき前記インバータ回路の動作を制御するインバータ制御部と、
前記インバータ回路の出力する高周波電力の一部を入力し、入力した高周波電力に基づいて前記インバータ制御部と前記検出部とに電力を供給する制御電力供給部と
を備え、
前記インバータ制御部は、
前記制御電力供給部から高周波電力に基づく電力の供給を受けることにより前記インバータ回路の動作を継続させるとともに、前記検出部が放電灯の不良状態を検出した場合には、前記インバータ回路の動作を停止させて高周波電力の出力を停止させ、
前記制御電力供給部は、
前記インバータ回路による高周波電力の出力停止に対応して、前記インバータ制御部と前記検出部とに電力を間歇的に供給し、
前記インバータ制御部は、
前記制御電力供給部から間歇的に電力が供給される場合には、前記検出部が放電灯の置換を検出するまで前記インバータ回路に動作の停止を継続させ、
前記検出部は、
前記制御電力供給部から間歇的に供給される電力の供給タイミングに対応して放電灯が置換されたかどうかを検出し、
前記インバータ制御部は、
前記検出部が前記制御電力供給部から間歇的に供給される電力に基づいて放電灯の置換を検出した場合には、動作の停止を継続させた前記インバータ回路を前記制御電力供給部から間歇的に供給される電力を契機として再び動作させて高周波電力を出力させ、
前記制御電力供給部は、
前記インバータ制御部が再び動作させた前記インバータ回路の出力する高周波電力を入力し、入力した高周波電力に基づいて前記インバータ制御部と前記検出部とに電力を供給することを特徴とする放電灯点灯装置。
【請求項３】
前記制御電力供給部が前記検出部とインバータ制御部とに間歇的に供給する電力は、
供給を継続して停止する期間である継続停止期間が、予め設定された設定値以内であることを特徴とする請求項２記載の放電灯点灯装置。
【請求項４】
前記設定値は、
１秒であることを特徴とする請求項３記載の放電灯点灯装置。
【請求項５】
前記制御電力供給部が前記検出部とインバータ制御部とに間歇的に供給する電力は、
供給を継続して停止する期間である継続停止期間が、略１秒以内であることを特徴とする請求項２記載の放電灯点灯装置。
【請求項６】
前記制御電力供給部が前記検出部とインバータ制御部とに間歇的に供給する電力は、
供給を継続して停止する期間である継続停止期間と、供給を継続して行なう期間である継続供給期間との比率が、予め設定された所定の範囲以内であることを特徴とする請求項２記載の放電灯点灯装置。
【請求項７】
前記検出部は、
放電灯の不良状態として、放電灯の寿命末期の不良状態を検出することを特徴とする請求項２記載の放電灯点灯装置。
【請求項８】
放電灯はフィラメントを有し、
前記検出部は、
放電灯の寿命末期の不良状態として、フィラメントの断線を検出することを特徴とする請求項７記載の放電灯点灯装置。
【請求項９】
放電灯はフィラメントを有し、
前記検出部は、
放電灯の寿命末期の不良状態として、フィラメントに設けた放電物質の消耗に起因するエミレス状態を検出することを特徴とする請求項７記載の放電灯点灯装置。
【請求項１０】
インバータ回路により放電灯を点灯させる放電灯点灯装置において、
前記インバータ回路の動作を制御するインバータ制御部と、
放電灯が不良状態かどうかを検出する検出部と
を備え、
前記インバータ制御部は、
前記インバータ回路を動作させているときに前記検出部が放電灯の不良状態を検出した場合には、前記インバータ回路の動作を停止させ、
前記検出部は、
前記インバータ制御部が前記インバータ回路を動作中から停止させた場合には、放電灯が不良状態かどうかを間歇的に検出し、
前記インバータ制御部は、
前記検出部が放電灯が不良状態かどうかを間歇的に検出した結果、不良状態ではないことを検出した場合には、停止させた前記インバータ回路を再び動作させることを特徴とする放電灯点灯装置。
【請求項１１】
インバータ回路の出力する高周波電力により放電灯を点灯させる放電灯点灯装置において、
信号を受信する受信部と、
電力の供給を受けることにより、前記受信部が受信した信号に基づき前記インバータ回路の動作を制御する信号処理部と、
前記インバータ回路の出力する高周波電力の一部を入力し、入力した高周波電力に基づいて前記信号処理部に電力を連続的に供給する制御電力供給部と
を備え、
前記信号処理部は、
前記制御電力供給部から高周波電力に基づく電力の供給を受けることにより前記インバータ回路の動作を継続させている場合に前記受信部が信号を受信すると、その信号を解読し、解読した信号が前記インバータ回路の動作停止を指示する場合には前記インバータ回路の動作を停止させて高周波電力の出力を停止させ、
前記制御電力供給部は、
前記インバータ回路による高周波電力の出力停止に対応して、前記信号処理部に電力を間歇的に供給することを特徴とする放電灯点灯装置。
【請求項１２】
前記信号処理部は、
前記制御電力供給部から間歇的に供給される電力が供給状態である期間中に前記受信部を介して信号の受信を検知すると、前記期間中の電力に基づいて、動作の停止を継続させていた前記インバータ回路を再び動作させて高周波電力を出力させ、
前記制御電力供給部は、
前記信号処理部が再び動作させたインバータ回路の出力する高周波電力を入力し、入力した高周波電力に基づいて前記信号処理部に電力を連続的に供給することを特徴とする請求項１１記載の放電灯点灯装置。
【請求項１３】
前記信号処理部は、
動作の停止を継続させていた前記インバータ回路を再び動作させる場合には、予め設定された所定の発振周波数で前記インバータ回路を動作させることを特徴とする請求項１２記載の放電灯点灯装置。
【請求項１４】
前記信号処理部は、
前記制御電力供給部から電力を連続的に供給されている場合に前記受信部が信号を受信すると、その信号を解読し、解読した信号の解読結果にしたがって前記インバータ回路の動作を制御することを特徴とする請求項１２または１３いずれかに記載の放電灯点灯装置。
【請求項１５】
信号を送信する送信装置と、インバータ回路の出力する高周波電力により放電灯を点灯させるとともに前記送信装置が送信した信号を受信し、受信した信号に基づき前記インバータ回路の動作を制御する放電灯点灯装置とを備えた照明制御システムにおいて、
前記送信装置は、
信号を生成する信号生成部と、
前記信号生成部が生成した信号を送信する送信部とを備え、
前記放電灯点灯装置は、
前記送信装置が送信した信号を受信する受信部と、
電力の供給を受けることにより、前記受信部が受信した信号に基づき前記インバータ回路の動作を制御する信号処理部と、
前記インバータ回路の出力する高周波電力の一部を入力し、入力した高周波電力に基づいて前記信号処理部に電力を連続的に供給する制御電力供給部と
を備え、
前記信号処理部は、
前記制御電力供給部から高周波電力に基づく電力の供給を受けることにより前記インバータ回路の動作を継続させている場合に前記受信部が信号を受信すると、その信号を解読し、解読した信号が前記インバータ回路の動作停止を指示する場合には前記インバータ回路の動作を停止させて高周波電力の出力を停止させ、
前記制御電力供給部は、
前記インバータ回路による高周波電力の出力停止に対応して、前記信号処理部に電力を間歇的に供給することを特徴とする照明制御システム。
【請求項１６】
前記送信装置の信号生成部は、
前記信号処理部による解読の対象とならないダミー信号を生成し、
前記送信装置の送信部は、
前記信号生成部が生成した前記ダミー信号を送信し、
前記放電灯点灯装置の前記信号処理部は、
前記制御電力供給部から間歇的に供給される電力が供給状態である期間中に前記受信部を介して前記ダミー信号の受信を検知すると、前記期間中の電力に基づいて、動作の停止を継続させていた前記インバータ回路を再び動作させて高周波電力を出力させ、
前記放電灯点灯装置の前記制御電力供給部は、
前記信号処理部が再び動作させたインバータ回路の出力する高周波電力を入力し、入力した高周波電力に基づいて前記信号処理部に電力を連続的に供給することを特徴とする請求項１５記載の照明制御システム。
【発明の詳細な説明】
【技術分野】
【０００１】
この発明は、直流電圧を高周波電圧に変換するインバータ回路を用いて放電灯を点灯する放電灯点灯装置に関する。例えば、放電灯の寿命末期に、放電灯に不良が発生した場合の放電灯点灯装置の省電力化に関する。
【背景技術】
【０００２】
従来例としては、例えば、特開２００１−１５２７６号公報がある。本願の図１９は、特開２００１−１５２７６号公報の図４（前記公報における図番。本願には添付していない。）及び図１３（前記公報における図番。本願には添付していない。）に記載された放電灯点灯装置の回路図を基にしたものを、従来例の放電灯点灯装置５０００として示す図である。本願の図１９では、特開２００１−１５２７６号公報においてマイクロコンピュータ（以下、マイコンという場合がある。）から構成されている照度補正装置の詳細構成を省略し、単にマイコン制御回路１２０として示している。
【０００３】
本願の図１９に示す放電灯正常・不良検出回路１２３は、特開２００１−１５２７６号公報の図１３（公報における図番）の抵抗Ｒ３，抵抗Ｒ４，ダイオードブリッジ回路ＤＢ４，コンデンサＣ６，リセット制御部２２に対応している（詳細は、特開２００１−１５２７６号公報の段落００５０〜００５１参照）。また、本願の図１９に示す昇圧チョッパ制御回路１２１は、特開２００１−１５２７６号公報ではインバータ制御部に含まれている。
【０００４】
本願の図１９に示す入力電源１は、ダイオードブリッジ２で整流され、脈流成分を持つ直流電源として昇圧チョッパ回路１００に供給される。
【０００５】
昇圧チョッパ回路１００は、チョークコイル３、スイッチング素子５、ダイオード４、コンデンサ６でダイオードブリッジ２から供給される直流電圧を昇圧し、放電灯を負荷とするインバータ回路１１０にこの昇圧した電力を供給する。
【０００６】
インバータ回路１１０は、スイッチング素子７及びスイッチング素子８により、昇圧チョッパ回路１００から供給される直流電圧を高周波電圧に変換し、この高周波電圧を放電灯負荷回路１１１に供給する。
【０００７】
放電灯負荷回路１１１は、カップリングコンデンサ９とチョークコイル１０と放電灯１１とから構成される直列回路、及び放電灯１１に並列に接続されたコンデンサ１２から構成される。
【０００８】
マイコン制御回路１２０は、昇圧チョッパ回路１００を制御する昇圧チョッパ制御回路１２１と、インバータ回路１１０を制御するインバータ制御回路１２２から構成されている。
【０００９】
また、マイコン制御回路１２０には、放電灯１１の正常または寿命末期を検出し、インバータ制御回路１２２をセットまたはリセットする放電灯正常・不良検出回路１２３が付加されている。
【００１０】
また、制御電源回路１３０は、昇圧チョッパ回路１００及びインバータ回路１１０を制御するマイコン制御回路１２０に制御電源を供給する回路である。制御電源回路１３０は、入力電源１をダイオードブリッジ２１、コンデンサ２２で整流・平滑した後、３端子レギュレータ２３で安定化してマイコン制御回路１２０に直流電圧を供給する。
【００１１】
本願の図２０は、本願の図１９に示す回路の動作を説明する図である。
図２０（ａ）は、時間ｔに対する入力電源１の状態（投入されている状態）を示しており、入力電源が継続的に投入されている状態を示している。
【００１２】
図２０（ｂ）は、時間ｔに対する制御電源回路の出力電圧Ｖｃｃを示しており、一定の出力電圧Ｖｃｃが出力されている状態を示している。
【００１３】
図２０（ｃ）は、時間ｔに対する放電灯１１の状態を示しており、放電灯１１が不良である期間Ｔ１において、放電灯１１が点滅していることを示している。
【００１４】
図２０（ｄ）は、時間ｔに対するインバータ回路１１０の出力を示しており、放電灯１１の不良期間Ｔ１において、インバータ回路１１０が、断続的に動作していることを示している。
【００１５】
以下、図２０を参照して、図１９に示す従来例の回路の動作を説明する。
【００１６】
図２０（ａ）に示すように、入力電源１が投入されると、その電圧は、ダイオードブリッジ２で整流され、昇圧チョッパ回路１００に供給される。そして、昇圧チョッパ回路１００の作用により、コンデンサ６には昇圧された電圧が得られる。
【００１７】
また、入力電源１は、同時に、制御電源回路１３０のダイオードブリッジ２１にも供給される。ダイオードブリッジ２１の出力は、コンデンサ２２で平滑され、３端子レギュレータで安定化される。そして、図２０（ｂ）に示す制御電源回路１３０の出力である制御電源Ｖｃｃは、マイコン制御回路１２０に供給される。
【００１８】
昇圧チョッパ回路１００のコンデンサ６の電圧は、マイコン制御回路１２０により制御されるインバータ回路１１０によって高周波電圧に変換され、放電灯１１を含む放電灯負荷回路１１１に印加される。これによって、放電灯１１が点灯する。
【００１９】
そして、放電灯１１の寿命末期時には、放電灯正常・不良検出回路１２３が、放電灯１１の寿命末期を判定する。この判定により、インバータ回路１１０の動作が一旦停止する。
【００２０】
その後、制御電源Ｖｃｃが供給され続ける場合は、不良期間Ｔ１において、放電灯点灯装置は、始動→点灯→寿命末期検出（エミレス検出）を繰り返す動作を継続する。
【００２１】
本願の図２０では、不良期間Ｔ１は、放電灯１１が寿命末期（エミレス）であることを示している（特開２００１−１５２７６号公報、段落００５１参照）。本願の図１９に示す従来の回路例では、図２０に示すように、放電灯１１が寿命末期等の不良期間Ｔ１であっても、制御電源Ｖｃｃが供給され続ける。このため、放電灯１１が正常品に置換されるまでの期間、制御電源回路１３０から不要な電力が供給されていた。
【００２２】
また、前記特開２００１−１５２７６号公報の「段落００５１」には、「不良期間Ｔ１は、インバータ回路１１０の出力を低下させたり、又は、動作を停止させたりすることは可能」とある。しかし、放電灯１１が正常品に置換された場合に、この正常な放電灯１１を正常点灯状態に復帰させるためには、放電灯１１が不良品（放電灯が不良状態）である期間Ｔ１においても制御電源Ｖｃｃの供給を連続的に行う必要がある。よって、従来の制御方式では、放電灯１１の不良期間Ｔ１における不要な電力の削減が充分できなかった。
【００２３】
また、放電灯を消灯した場合に制御電源が継続的に供給される状態を無くす一方、消灯状態からリモコン操作で、放電灯を再度点灯状態にしたいという要請もある。
【特許文献１】特開２００１−１５２７６号公報
【発明の開示】
【発明が解決しようとする課題】
【００２４】
この発明の第１の目的は、放電灯が寿命末期等の不良の場合には、インバータ回路の動作を停止させ、かつ、制御電源Ｖｃｃを間歇的に供給して不要な電力を更に低減するとともに、制御電源Ｖｃｃを間歇的に供給するタイミングで不良放電灯から正常放電灯への交換検出（以降、正常放電灯への置換検出という場合がある）を行い、放電灯が正常品に置換された場合には、正常な点灯状態に復帰させる省電力な放電灯点灯装置を提供することを目的とする。
【００２５】
この発明の第２の目的は、制御電源Ｖｃｃが間歇的に供給される場合の供給停止期間を概略１秒程度以下の短い期間に設定することにより、不良である放電灯を正常な放電灯に交換する作業者が、放電灯を不良品から正常品に交換した際に、この作業者が正常点灯をすぐに確認できるようにすることを目的とする。
【００２６】
また、この発明は、放電灯が消灯した場合に制御電源を間歇的出力とするとともに、消灯状態における制御電源の間歇的出力状態から、リモコン操作で放電灯を再度点灯させる放電灯点灯装置の提供を目的とする。
【課題を解決するための手段】
【００２７】
この発明の放電灯点灯装置は、
インバータ回路の出力する高周波電力により放電灯を点灯させる放電灯点灯装置において、
電力の供給を受けることにより、放電灯が不良状態かどうかを検出する検出部と、
電力の供給を受けることにより、前記検出部による検出結果に基づき前記インバータ回路の動作を制御するインバータ制御部と、
前記インバータ制御部と前記検出部とに電力を供給する制御電力供給部と
を備え、
前記制御電力供給部は、
前記検出部による検出結果として放電灯が正常状態の場合には前記インバータ制御部と前記検出部とに連続的に電力を供給し、前記検出部による検出結果として放電灯が不良状態の場合には前記インバータ制御部と前記検出部とに間歇的に電力を供給することを特徴とする。
【００２８】
この発明の放電灯点灯装置は、
インバータ回路の出力する高周波電力により放電灯を点灯させる放電灯点灯装置において、
電力の供給を受けることにより、放電灯が不良状態かどうかと放電灯が置換されたかどうかとを検出する検出部と、
電力の供給を受けることにより、前記検出部による検出結果に基づき前記インバータ回路の動作を制御するインバータ制御部と、
前記インバータ回路の出力する高周波電力の一部を入力し、入力した高周波電力に基づいて前記インバータ制御部と前記検出部とに電力を供給する制御電力供給部と
を備え、
前記インバータ制御部は、
前記制御電力供給部から高周波電力に基づく電力の供給を受けることにより前記インバータ回路の動作を継続させるとともに、前記検出部が放電灯の不良状態を検出した場合には、前記インバータ回路の動作を停止させて高周波電力の出力を停止させ、
前記制御電力供給部は、
前記インバータ回路による高周波電力の出力停止に対応して、前記インバータ制御部と前記検出部とに電力を間歇的に供給し、
前記インバータ制御部は、
前記制御電力供給部から間歇的に電力が供給される場合には、前記検出部が放電灯の置換を検出するまで前記インバータ回路に動作の停止を継続させ、
前記検出部は、
前記制御電力供給部から間歇的に供給される電力の供給タイミングに対応して放電灯が置換されたかどうかを検出し、
前記インバータ制御部は、
前記検出部が前記制御電力供給部から間歇的に供給される電力に基づいて放電灯の置換を検出した場合には、動作の停止を継続させた前記インバータ回路を前記制御電力供給部から間歇的に供給される電力を契機として再び動作させて高周波電力を出力させ、
前記制御電力供給部は、
前記インバータ制御部が再び動作させた前記インバータ回路の出力する高周波電力を入力し、入力した高周波電力に基づいて前記インバータ制御部と前記検出部とに電力を供給することを特徴とする。
【００２９】
前記制御電力供給部が前記検出部とインバータ制御部とに間歇的に供給する電力は、
供給を継続して停止する期間である継続停止期間が、予め設定された設定値以内であることを特徴とする。
【００３０】
前記設定値は、
１秒であることを特徴とする。
【００３１】
前記制御電力供給部が前記検出部とインバータ制御部とに間歇的に供給する電力は、
供給を継続して停止する期間である継続停止期間が、略１秒以内であることを特徴とする。
【００３２】
前記制御電力供給部が前記検出部とインバータ制御部とに間歇的に供給する電力は、
供給を継続して停止する期間である継続停止期間と、供給を継続して行なう期間である継続供給期間との比率が、予め設定された所定の範囲以内であることを特徴とする。
【００３３】
前記検出部は、
放電灯の不良状態として、放電灯の寿命末期の不良状態を検出することを特徴とする。
【００３４】
放電灯はフィラメントを有し、
前記検出部は、
放電灯の寿命末期の不良状態として、フィラメントの断線を検出することを特徴とする。
【００３５】
放電灯はフィラメントを有し、
前記検出部は、
放電灯の寿命末期の不良状態として、フィラメントに設けた放電物質の消耗に起因するエミレス状態を検出することを特徴とする。
【００３６】
この発明の放電灯点灯装置は、
インバータ回路により放電灯を点灯させる放電灯点灯装置において、
前記インバータ回路の動作を制御するインバータ制御部と、
放電灯が不良状態かどうかを検出する検出部と
を備え、
前記インバータ制御部は、
前記インバータ回路を動作させているときに前記検出部が放電灯の不良状態を検出した場合には、前記インバータ回路の動作を停止させ、
前記検出部は、
前記インバータ制御部が前記インバータ回路を動作中から停止させた場合には、放電灯が不良状態かどうかを間歇的に検出し、
前記インバータ制御部は、
前記検出部が放電灯が不良状態かどうかを間歇的に検出した結果、不良状態ではないことを検出した場合には、停止させた前記インバータ回路を再び動作させることを特徴とする。
【００３７】
この発明の放電灯点灯装置は、
インバータ回路の出力する高周波電力により放電灯を点灯させる放電灯点灯装置において、
信号を受信する受信部と、
電力の供給を受けることにより、前記受信部が受信した信号に基づき前記インバータ回路の動作を制御する信号処理部と、
前記インバータ回路の出力する高周波電力の一部を入力し、入力した高周波電力に基づいて前記信号処理部に電力を連続的に供給する制御電力供給部と
を備え、
前記信号処理部は、
前記制御電力供給部から高周波電力に基づく電力の供給を受けることにより前記インバータ回路の動作を継続させている場合に前記受信部が信号を受信すると、その信号を解読し、解読した信号が前記インバータ回路の動作停止を指示する場合には前記インバータ回路の動作を停止させて高周波電力の出力を停止させ、
前記制御電力供給部は、
前記インバータ回路による高周波電力の出力停止に対応して、前記信号処理部に電力を間歇的に供給することを特徴とする。
【００３８】
前記信号処理部は、
前記制御電力供給部から間歇的に供給される電力が供給状態である期間中に前記受信部を介して信号の受信を検知すると、前記期間中の電力に基づいて、動作の停止を継続させていた前記インバータ回路を再び動作させて高周波電力を出力させ、
前記制御電力供給部は、
前記信号処理部が再び動作させたインバータ回路の出力する高周波電力を入力し、入力した高周波電力に基づいて前記信号処理部に電力を連続的に供給することを特徴とする。
【００３９】
前記信号処理部は、
動作の停止を継続させていた前記インバータ回路を再び動作させる場合には、予め設定された所定の発振周波数で前記インバータ回路を動作させることを特徴とする。
【００４０】
前記信号処理部は、
前記制御電力供給部から電力を連続的に供給されている場合に前記受信部が信号を受信すると、その信号を解読し、解読した信号の解読結果にしたがって前記インバータ回路の動作を制御することを特徴とする。
【００４１】
この発明の照明制御システムは、
信号を送信する送信装置と、インバータ回路の出力する高周波電力により放電灯を点灯させるとともに前記送信装置が送信した信号を受信し、受信した信号に基づき前記インバータ回路の動作を制御する放電灯点灯装置とを備えた照明制御システムにおいて、
前記送信装置は、
信号を生成する信号生成部と、
前記信号生成部が生成した信号を送信する送信部とを備え、
前記放電灯点灯装置は、
前記送信装置が送信した信号を受信する受信部と、
電力の供給を受けることにより、前記受信部が受信した信号に基づき前記インバータ回路の動作を制御する信号処理部と、
前記インバータ回路の出力する高周波電力の一部を入力し、入力した高周波電力に基づいて前記信号処理部に電力を連続的に供給する制御電力供給部と
を備え、
前記信号処理部は、
前記制御電力供給部から高周波電力に基づく電力の供給を受けることにより前記インバータ回路の動作を継続させている場合に前記受信部が信号を受信すると、その信号を解読し、解読した信号が前記インバータ回路の動作停止を指示する場合には前記インバータ回路の動作を停止させて高周波電力の出力を停止させ、
前記制御電力供給部は、
前記インバータ回路による高周波電力の出力停止に対応して、前記信号処理部に電力を間歇的に供給することを特徴とする。
【００４２】
前記送信装置の信号生成部は、
前記信号処理部による解読の対象とならないダミー信号を生成し、
前記送信装置の送信部は、
前記信号生成部が生成した前記ダミー信号を送信し、
前記放電灯点灯装置の前記信号処理部は、
前記制御電力供給部から間歇的に供給される電力が供給状態である期間中に前記受信部を介して前記ダミー信号の受信を検知すると、前記期間中の電力に基づいて、動作の停止を継続させていた前記インバータ回路を再び動作させて高周波電力を出力させ、
前記放電灯点灯装置の前記制御電力供給部は、
前記信号処理部が再び動作させたインバータ回路の出力する高周波電力を入力し、入力した高周波電力に基づいて前記信号処理部に電力を連続的に供給する。
【発明の効果】
【００４３】
この発明により、インバータ回路により放電灯を点灯させる放電灯点灯装置において、放電灯が不良の場合に放電灯点灯装置の電力の消費を抑制し、放電灯を不良品から正常品へ交換した場合の正常点灯を迅速に確認することができる放電灯点灯装置を提供することができる。
【発明を実施するための最良の形態】
【００４４】
実施の形態１．
図１、図２を使用して実施の形態１を説明する。実施の形態１は、インバータ回路によって放電灯を点灯させる放電灯点灯装置１０００に関する。
【００４５】
以下に説明する実施の形態で使用する図では、従来例として示した図８の構成要素と同一の機能部又は相当する機能部には、同一符号を付す。
【００４６】
なお、以下に説明する実施の形態では、図１、あるいは図３の説明で後述するように、スイッチング素子から構成される部分をインバータ回路１１０と呼び、共振回路と放電灯とから構成される回路を放電灯負荷回路１１１（以下、単に負荷回路１１１という）と呼び、分けている。以下の実施の形態においてインバータ回路という場合は、２つのスイッチング素子から構成される部分を意味するものとする。
【００４７】
また、以下の実施の形態では、図８に示した従来例のマイコン制御回路１２０、昇圧チョッパ制御回路１２１、インバータ制御回路１２２、放電灯正常・不良検出回路１２３を、それぞれ、マイコン制御部１２０、昇圧チョッパ制御部１２１、インバータ制御部１２２、検出部１２３と呼ぶこととする。
【００４８】
また、図８に示した制御電源回路１３０に対して、以下の実施の形態の制御電源回路は構成が大きく異なる。このため、以下に説明する実施の形態では、符号「１５０」を用いて、制御電源回路１５０とする。
【００４９】
図１は、本実施の形態１の放電灯点灯装置１０００の構成を示すブロック図である。
図１に示すように、放電灯点灯装置１０００は、入力電源１として供給される交流電力を整流するダイオードブリッジ２と、昇圧チョッパ回路１００と、インバータ回路１１０と、放電灯１１を備える負荷回路１１１と、インバータ回路１１０を制御するインバータ制御部１２２と放電灯１１の不良状態を検出するとともに放電灯が置換されたかどうかを検出する検出部１２３とを備えるマイコン制御部１２０と、制御電源回路１５０（制御電力供給部）とを備える。マイコン制御部１２０とは、例えば、入出力部、演算部、制御部、記憶部を備えたマイクロコンピュータにより実現される。
【００５０】
インバータ回路１１０は、例えば、図３で後述するように、２つのスイッチング素子から構成される。インバータ制御部１２２は、インバータ回路１１０のスイッチング素子を所定の発振周波数で発振させ、あるいは発振させているスイッチング素子を停止させ、あるいは停止させたスイッチング素子を再び発振させる等の制御を行なう。
【００５１】
放電灯点灯装置１０００の構成の特徴の一つとして、制御電源回路１５０が、インバータ回路１１０が出力する高周波電力の一部を入力することにある。後述のように、制御電源回路１５０がこの高周波電力を入力できなくなった場合には、制御電源回路１５０は、制御電源Ｖｃｃ（供給電力）を間歇的（断続的、あるいは周期的）に出力するようになる。
【００５２】
図２は、図１の放電灯点灯装置１０００の動作を説明する図である。図２を用いて放電灯点灯装置１０００の動作を説明する。
【００５３】
Ｓ１０１では放電灯点灯装置１０００が正常に稼動しており、正常な放電灯１１が点灯中であるとする。この場合、インバータ回路１１０からは、高周波電力の一部が制御電源回路１５０に出力される。制御電源回路１５０は、インバータ回路１１０の出力する高周波電力を入力し、入力した高周波電力に基づきインバータ制御部１２２と検出部１２３とに制御電力を供給している。
【００５４】
Ｓ１０２において、インバータ制御部１２２が、制御電源回路１５０から前記高周波電力に基づく電力の供給を受けて、インバータ回路１１０を動作させている。
【００５５】
Ｓ１０３において、検出部１２３が、制御電源回路１５０から前記高周波電力に基づく電力の供給を受けることにより、放電灯１１が不良状態かどうかを、常時、検出する。
【００５６】
Ｓ１０４において、検出部１２３が、放電灯１１の不良状態を検出したとする。
【００５７】
Ｓ１０５において、インバータ制御部１２２は、検出部１２３が放電灯１１の不良状態を検出した場合には、インバータ回路１１０の動作（発振）を停止させて高周波電力の出力を停止させる。
【００５８】
Ｓ１０６において、制御電源回路１５０は、インバータ回路１１０が高周波電力の出力を停止した場合には、この出力停止に対応して、インバータ制御部１２２と検出部１２３とに電力を間歇的に供給することを開始する。
【００５９】
Ｓ１０７では、インバータ制御部１２２は、制御電源回路１５０から間歇的に電力が供給されたとしても、Ｓ１０４で検出部１２３が不良を検出しているため、次に検出部１２３が正常な放電灯（以下、正常放電灯という）への置換を検出（置換検出）するまで、インバータ回路１１０に動作の停止を継続させる。
【００６０】
Ｓ１０８において、検出部１２３は、制御電源回路１５０から間歇的に供給される電力の供給タイミングに対応して、放電灯の置換を検出する。そして、Ｓ１０９において、検出部１２３が制御電源回路１５０から間歇的に供給される電力に基づいて正常放電灯への置換を検出したとする。
【００６１】
その場合、Ｓ１１０において、インバータ制御部１２２は、制御電源回路１５０から間歇的に供給される電力を契機として、動作の停止を継続させたインバータ回路１１０を再び動作させて高周波電力を出力させる。
【００６２】
Ｓ１１１において、制御電源回路１５０は、インバータ制御部１２２が再び動作させたインバータ回路１１０が出力する高周波電力を入力し、入力した高周波電力に基づいてインバータ制御部１２２と検出部１２３とに電力を供給する。これにより、Ｓ１０１の状態（放電灯が正常の状態）の動作に戻る。
【００６３】
実施の形態１の放電灯点灯装置１０００は、検出部１２３が放電灯が不良状態かどうかを検出するとともに放電灯の置換を検出し、インバータ制御部１２２が検出部１２３による検出結果に基づきインバータ回路１１０の動作を制御し、制御電源回路１５０（制御電力供給部）がインバータ回路１１０の出力する高周波電力の一部を入力し、入力した高周波電力に基づいてインバータ制御部１２２と検出部１２３とに電力を供給する構成である。よって、検出部１２３が放電灯の不良を検出した場合は、インバータ制御部１２２がインバータ回路１１０を制御する。このため、制御電源回路１５０は、インバータ回路１１０から高周波電力を入力することを制限される。よって、制御電源回路１５０は、制御電力の出力が制限されることとなり、放電灯が不良の場合に放電灯点灯装置の電力の消費を抑制することができる。
【００６４】
実施の形態２．
図３〜図７を用いて実施の形態２を説明する。実施の形態２は、実施の形態１の放電灯点灯装置１０００を更に具体的な回路として示す放電灯点灯装置２０００に関する。
【００６５】
図３は、放電灯点灯装置２０００の回路構成を示す。従来例の放電灯点灯装置５０００に対して、次の点が異なる。
【００６６】
まず、放電灯点灯装置２０００は、インバータ回路１１０がスナバ回路１１５を備える。このスナバ回路１１５は、高周波電力を制御電源回路１５０と昇圧チョッパ制御部１２１とに出力する。また、マイコン制御部１２０が不揮発性メモリ１２４を備えている。また、制御電源回路１５０の回路構成が、従来例である放電灯点灯装置５０００の制御電源回路１３０と異なる。以下、具体的に説明する。
【００６７】
図３において、入力電源１は、ダイオードブリッジ２で整流され、脈流成分を持つ直流電源として昇圧チョッパ回路１００に供給される。
【００６８】
昇圧チョッパ回路１００は、チョークコイル３、スイッチング素子５、ダイオード４、コンデンサ６でダイオードブリッジ２から供給される直流電圧を昇圧し、放電灯を負荷とするインバータ回路１１０にこの昇圧した電力を供給する。
【００６９】
負荷回路１１１は、カップリングコンデンサ９とチョークコイル１０と放電灯１１とから構成される直列回路、及び放電灯１１に並列に接続されたコンデンサ１２から構成される。
【００７０】
インバータ回路１１０は、スイッチング素子７及びスイッチング素子８により、昇圧チョッパ回路１００から供給される直流電圧を高周波電圧に変換し、この高周波電圧を負荷回路１１１に供給する。また、インバータ回路１１０は、コンデンサ１５と、ダイオード１６とから構成されるスナバ回路１１５を備える。
【００７１】
スナバ回路１１５において、コンデンサ１５の一端は、スイッチング素子７とスイッチング素子８の接続点に接続され、他端は、ダイオード１６のカソードを介して直流電源の負極側に接続される。コンデンサ１５とダイオード１６の接続点ａ（以下、接続点ａという）は、ダイオード３３のアノードに接続されるとともに、昇圧チョッパ制御部１２１に接続される。スナバ回路１１５からは高周波電力が制御電源回路１５０のダイオード３３（点ａで示している）に出力されるとともに、昇圧チョッパ制御部１２１に出力される。
【００７２】
マイコン制御部１２０は、昇圧チョッパ回路１００を制御する昇圧チョッパ制御部１２１と、インバータ回路１１０を制御するインバータ制御部１２２と、放電灯の正常または不良（例えば寿命末期）を検出するとともに放電灯の置換を検出する検出部１２３と、検出部１２３の検出内容（検出結果）を記憶する不揮発性メモリ１２４とを備える。マイコン制御部１２０とは、実施の形態１でも述べたように、例えば、入出力部、演算部、制御部、記憶部を備えたマイクロコンピュータにより実現される。
【００７３】
インバータ制御部１２２は、インバータ回路１１０のスイッチング素子７とスイッチング素子８とを所定の発振周波数でスイッチングして発振させ、あるいは発振させているスイッチング素子７，８を停止させ、あるいは停止させたスイッチング素子７，８を再び発振させる等の制御を行なう。インバータ制御部１２２は、不揮発性メモリ１２４が格納する検出部１２３が検出した検出記録が「正常」である場合には、インバータ回路１１０を出力動作（発振）させる。一方、検出記録が「不良」の場合には、インバータ回路１１０の出力を停止させる。
【００７４】
検出部１２３は、制御電源回路１５０から制御電圧Ｖｃｃの供給を受けて動作し、放電灯１１が不良状態にあるかどうかを、常時、検出している。放電灯１１の不良状態としては、放電灯１１のフィラメントの放電物質の消耗による寿命末期（エミレス）等である。検出部１２３は、制御電圧Ｖｃｃの供給を受けている限りにおいて、このような「放電灯１１の不良状態」を常に監視している。そして、検出部１２３は、放電灯１１が不良状態になり次第に、それを検出する。また、検出部１２３は、制御電源回路１５０から間歇的に供給される電力の供給タイミングに対応して放電灯が置換されたかどうかを検出する。
放電灯の置換検出は、例えば、検出部１２３で放電灯のフィラメントの有無を検出して、フィラメントが無しの検出の後、フィラメントが有りを検出した場合に、放電灯１１が不良放電灯の抜去の後、新品放電灯が装着されたと識別して行うことができる。
また、放電灯のフィラメントの有無を識別することで、フィラメントが断線した不良放電灯の識別もできる。
【００７５】
不揮発性メモリ１２４は、検出部１２３の検出結果を格納する。この不揮発性メモリ１２４と検出部１２３とインバータ制御部１２２との関係は次の様である。
（１）例えば、放電灯１１が正常である場合、検出部１２３は、常時「Ｌｏｗ」の信号を不揮発性メモリ１２４に出力する。不揮発性メモリ１２４は、「Ｌｏｗ」状態を記憶する。そして、インバータ制御部１２２は、不揮発性メモリ１２４の状態が「Ｌｏｗ」ならば、インバータ回路１１０の動作を継続させる。
（２）放電灯１１が正常状態から不良状態になった場合、例えば放電灯が寿命末期になった場合、検出部１２３は、常時「Ｈｉｇｈ」の信号を不揮発性メモリ１２４に出力する。不揮発性メモリ１２４は、記録していた「Ｌｏｗ」の状態を「Ｈｉｇｈ」に書き換える。インバータ制御部１２２は、不揮発性メモリ１２４の記録が「Ｌｏｗ」から「Ｈｉｇｈ」に書き換えられたことに連動して、インバータ回路１１０の動作を停止させる。
（３）放電灯１１が正常品に交換された場合には、検出部１２３は、制御電圧Ｖｃｃの供給を受けることにより、常時「Ｌｏｗ」の信号を不揮発性メモリ１２４に出力する。不揮発性メモリ１２４は、記録していた「Ｈｉｇｈ」の状態を「Ｌｏｗ」に書き換える。インバータ制御部１２２は、不揮発性メモリ１２４の記録が「Ｈｉｇｈ」から「Ｌｏｗ」に書き換えられたことに連動して、インバータ回路１１０の動作を再び開始させる。
【００７６】
なお、図３では、スイッチング素子５，７、８として、ＭＯＳＦＥＴ（Ｍｅｔａｌｌｉｃ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）を示してあるが、これらのスイッチング素子のドレイン・ソース間に逆並列に内蔵されているダイオードは図示を省略している。
【００７７】
また、実施の形態１の冒頭で述べたように、制御電源回路１５０は、従来例の制御電源回路１３０に対して一部に相当する部分を有する。しかし、機能が異なる構成であるので、別符号を用いている。
【００７８】
制御電源回路１５０の構成を説明する。
（１）制御電源回路１５０において、抵抗３１の一端は、ダイオードブリッジ２の正極側出力端子に接続され、他端はダイオード３２のアノードに接続される。ダイオード３２のカソードは、ダイオード３３のカソードに接続される。
（２）コンデンサ３４は、ダイオード３３のカソードと直流電源の負極側に接続される。ツエナーダイオード３５のカソードはダイオード３３のカソードに接続され、アノードはコンデンサ３６を介して直流電源の負極側に接続される。
（３）ＰＮＰトランジスタ４０のエミッタはダイオード３３のカソードに接続され、そのベースは抵抗４２、ＮＰＮトランジスタ４１のコレクタ、そのエミッタを介して直流電源の負極側に接続される。
（４）コンデンサ３７と抵抗３８とは、ＰＮＰトランジスタ４０のエミッタとベース間に並列接続される。
（５）抵抗３９は、ツエナーダイオード３５とコンデンサ３６との接続点とＮＰＮトランジスタ４１のベースとの間に接続される。
（６）ＰＮＰトランジスタ４０のコレクタは、抵抗４３、ＮＰＮトランジスタ４６のコレクタ、ベース、ツエナーダイオード４５のカソードを介して直流電源の負極側に接続される。
（７）ＮＰＮトランジスタ４６のコレクタとベース間に抵抗４４が接続される。
（８）ＮＰＮトランジスタ４６のエミッタには、ツエナーダイオード４７のカソードが接続される。
（９）ツエナーダイオード４７のアノードは、ダイオード４８のアノードに接続され、抵抗４９を介してＮＰＮトランジスタ４１のベースに接続される。
（１０）ＮＰＮトランジスタ４６のエミッタと直流電源の負極側との間にコンデンサ５０が接続される。
（１１）ＮＰＮトランジスタ４６のエミッタ端子から、マイコン制御部１２０へ
の駆動電源Ｖｃｃが供給される。
【００７９】
ここで、回路定数を以下の（式１）及び（式２）のように選定する。
ＶＺＤ３５＞ＶＺＤ４５＞ＶＺＤ４７＋ＶＦ４８＋Ｖｂｅ４１      （式１）
Ｖｃｃ＝ＶＺＤ４５−Ｖｂｅ４６      （式２）
ただし、
ＶＺＤ３５：ツエナーダイオード３５のツエナー電圧、
ＶＺＤ４５：ツエナーダイオード４５のツエナー電圧、
ＶＺＤ４７：ツエナーダイオード４７のツエナー電圧、
ＶＦ４８：ダイオード４８の順方向電圧、
Ｖｂｅ４１：ＮＰＮトランジスタ４１のベース・エミッタ間電圧、
Ｖｂｅ４６：ＮＰＮトランジスタ４６のベース・エミッタ間電圧
とする。
【００８０】
次に図４〜図７を用いて、実施の形態２の放電灯点灯装置２０００の動作を説明する。図４は、放電灯１１が正常な場合の放電灯点灯装置２０００の動作を説明するフローチャートである。図５は、放電灯１１が不良状態である場合の放電灯点灯装置２０００の動作を説明するフローチャートである。図６は、放電灯点灯装置２０００の各部の動作波形を示した図である。図７は、図６の波形を拡大した図である。
【００８１】
図６において、
（ａ）は、入力電源１が、時刻ｔ１０で投入された状態を示す。
（ｂ）は、制御電源回路１５０の出力Ｖｃｃ（制御電源Ｖｃｃ）の出力状態を示す。
（ｃ）は、放電灯１１の状態を示す。
（ｄ）は、インバータ回路１１０の状態を示す。
【００８２】
図７では、図６に対して、さらに、コンデンサ３４の電圧を示す（ｅ）を加えている。
【００８３】
（時間ｔ１０）
時間ｔ１０で入力電源１が投入されると、ダイオードブリッジ２の正極側には脈流成分を含む直流電圧が発生する（Ｓ２０１）。
【００８４】
（時間ｔ１０〜ｔ１１）
この直流電圧により、制御電源回路１５０のコンデンサ３４には、抵抗３１とダイオード３２とを介して充電電流が流れる。この充電電流により、図７（ｅ）に示すように時間ｔ１０〜ｔ１１において、コンデンサ３４の両端電圧が上昇していく（Ｓ２０２）。
【００８５】
（時間ｔ１１）
以下は、時間ｔ１１における動作である。時間ｔ１１において、コンデンサ３４の電圧（Ｖｃ３４とする）が、ツエナーダイオード３５の電圧ＶＺＤ３５とＮＰＮトランジスタ４１のベース・エミッタ間電圧Ｖｂｅ４１の和より大きくなると、
すなわち、
Ｖｃ３４＞ＶＺＤ３５＋Ｖｂｅ４１
になると、
ＮＰＮトランジスタ４１に抵抗３９を介してベース電流が流れ、ＮＰＮトランジスタ４１がオンになる（Ｓ２０３）。
【００８６】
ＮＰＮトランジスタ４１がオンになると、ＰＮＰトランジスタ４０は、抵抗４２を介してベース電流が流れるのでオンになり、続いて、ＮＰＮトランジスタ４６にもベース電流が流れ、オンになる（Ｓ２０４）。
【００８７】
ＮＰＮトランジスタ４６が時間ｔ１１でオンになると、制御電源Ｖｃｃには、ツエナーダイオード４５のＶＺＤ４５で定まる安定化されたＶｃｃ電圧が出力される（Ｓ２０５）。
【００８８】
安定化されたＶｃｃ電圧に基づき、ツエナーダイオード４７、ダイオード４８及び抵抗４９を介して、ＮＰＮトランジスタ４１にベース電流が供給される。このため、ＮＰＮトランジスタ４１及びＰＮＰトランジスタ４０は、抵抗３１からの電流による充電が無くても、オン状態を継続する（Ｓ２０６）。
【００８９】
このため、インバータ制御部１２２がインバータ回路１１０を発振させる。また、スナバ回路１１５の「接続点ａ」からは、昇圧チョッパ制御部１２１にも高周波電力が供給される。これにより、放電灯１１が点灯する（Ｓ２０７）。
【００９０】
インバータ回路１１０の発振に伴って、スナバ回路１１５のコンデンサ１５とダイオード１６との接続点ａからダイオード３３のアノード（図３にａで示している）に高周波電流が流れてコンデンサ３４を充電する。よって、時間ｔ１１以降も制御電源Ｖｃｃには安定化された電圧が供給され続ける。このため、昇圧チョッパ回路１００も動作し、放電灯１１は時間ｔ１１以降には正常点灯状態になる（Ｓ２０８）。以上が時間ｔ１１における動作である。
【００９１】
以降、放電灯点灯装置２０００は、この状態（ｔ１１以降の放電灯１１の正常点灯状態）を継続する。
【００９２】
（時間ｔ２０）
次に、図５を参照して、放電灯１１が不良状態になった場合を説明する。時間ｔ１１以降、時間ｔ２０において、放電灯１１が寿命末期等の不良状態になったとする（Ｓ３０１）。この場合、マイコン制御部１２０の検出部１２３が、放電灯１１の不良状態を検出し（Ｓ３０２）、この不良状態が不揮発性メモリ１２４に記録される（Ｓ３０３）。すなわち、検出部１２３は、放電灯１１が不良状態にあるかどうかを常時監視しており、放電灯１１が不良状態になった場合には、不良状態に対応する信号をマイコン制御部１２０に出力する。不揮発性メモリ１２４は、この不良状態に対応する信号にしたがって、放電灯１１の状態を「不良」と記憶する。
【００９３】
不揮発性メモリ１２４に記録された「不良」の検出記録により、インバータ制御部１２２は発振出力動作を停止し、インバータ回路１１０のスイッチング素子７，８のスイッチングを停止させる（Ｓ３０４）。これにより、放電灯１１が消灯する。
【００９４】
同時に、インバータ回路１１０の発振が停止することにより、スナバ回路１１５の「接続点ａ」からダイオード３３のアノードへの高周波電流の供給もなくなる（Ｓ３０５）。このため、図７（ｂ）の時間ｔ２０〜ｔ２１に示すように、Ｖｃｃ電圧も低下する。このＶｃｃの低下に基づき、ＮＰＮトランジスタ４１、ＰＮＰトランジスタ４０、ＮＰＮトランジスタ４６がオフになり（Ｓ３０６）、時間ｔ２１においてＶｃｃ出力がゼロになる（Ｓ３０７）。
【００９５】
時間ｔ２１でＮＰＮトランジスタ４１がオフになると、図７（ｅ）の時間ｔ２１に示すように、コンデンサ３４の電圧は、抵抗３１からの充電電流によって上昇（時間ｔ２１〜ｔ２２）していく（Ｓ３０８）。そして、図７（ｂ）に示すＶｃｃ出力がゼロとなる期間を示すＶｃｃゼロ出力期間Ｔ２０（ｔ２１〜ｔ２２の期間）において、コンデンサ３４の電圧が、抵抗３９を介してＮＰＮトランジスタ４１にベース電流が流れるまで上昇すると、時間ｔ２２でＮＰＮトランジスタ４１は再度オンし、同様にＰＮＰトランジスタ４０、ＮＰＮトランジスタ４６もＯＮとなる（Ｓ３０９）。よって、図７（ｂ）のように、時間ｔ２２から、制御電源回路１５０により安定化されたＶｃｃ電圧が出力される（Ｓ３１０）。
【００９６】
検出部１２３は、図７（ｂ）の時間ｔ２２〜時間ｔ２３で間歇的に出力されたＶｃｃ電圧（間歇出力５１という）の供給を受けて、放電灯１１の状態を検出する（Ｓ３１１）。この期間では、放電灯１１は「不良」であるので、検出部１２３は、放電灯の不良状態を検出し、「不良」に対応する信号をマイコン制御部１２０に出力する。不揮発性メモリ１２４は、Ｓ３０３において「不良」を記憶しているので、今回、検出部１２３が出力した「不良」に対応する信号に基づき、この検出結果「不良」から「不良」の記憶を維持する（Ｓ３１２）。このように、図７（ｂ）における時間ｔ２２〜時間ｔ２３の期間（間歇出力５１）では、マイコン制御部１２０の不揮発性メモリ１２４には、放電灯１１の「不良」が格納されている。
【００９７】
このため、インバータ制御部１２２は、間歇出力５１に対しては動作しない。よって、インバータ回路１１０は、発振しない（Ｓ３１３）。従って、スナバ回路１１５の「接続点ａ」からコンデンサ３４へ高周波電流の供給はない（Ｓ３１４）。このため、図７（ｂ）に示すように、Ｖｃｃは、Ｖｃｃ出力期間Ｔ１０の後、時間ｔ２３において、再度ゼロになる（Ｓ３１５）。
【００９８】
なお、図７（ｂ）において、検出部１２３は、制御電源回路１５０から間歇出力５２を供給された場合には、間歇出力５２の供給タイミングに対応して正常放電灯へ置換されたかどうかをも検出し、また、間歇出力５３を供給された場合にも、間歇出力５３の供給タイミングに対応して正常放電灯へ置換されたかどうかをも検出する。図７（ｃ）に示すように、間歇出力５２、間歇出力５３が出力されるのは放電灯１１が不良状態である不良期間Ｔ１内である。このため、検出部１２３は、間歇出力５２及び間歇出力５３のいずれの場合にも、放電灯１１を「不良」と検出する。
【００９９】
図７（ｂ）、（ｃ）に示すように、放電灯１１の不良期間Ｔ１では、制御電源回路１５０は、Ｖｃｃの「Ｖｃｃ出力期間Ｔ１０」と「出力ゼロ期間Ｔ２０」とを間歇的に交互に繰り返えす（Ｓ３１６）。これは次の理由による。インバータ回路１１０が停止している場合には、「接続点ａ」から高周波電流の出力はない。このため、制御電源回路１５０に入力される電力は、抵抗３１を介してコンデンサ３４に入力される充電電流だけである。このため、制御電源回路１５０は、図７（ｂ）に示すように、間歇的にＶｃｃを出力する。また、間歇的に出力されるＶｃｃの出力タイミングに対応して検出部１２３が放電灯１１が不良状態かどうかを検出するが、不良期間Ｔ１では、常に「不良」を検出するのでインバータ制御部１２２は動作しない。よって、接続点ａからの出力もない。したがって、制御電源回路１５０は、不良期間Ｔ１では上記のようにインバータ回路１１０は動作しないので、正常点灯が不能である放電灯１１の不良状態での不要な動作を防止でき、かつ、不要な電力の消費を抑制できる。また、マイコン制御部１２０もＶｃｃゼロ出力期間Ｔ２０は電力の消費がゼロに抑制できる。
【０１００】
従って、抵抗３１、コンデンサ３４等の値を適当に選定して、Ｖｃｃ出力期間Ｔ１０とＶｃｃゼロ出力期間Ｔ２０との比率を定めることで、放電灯１１の不良期間Ｔ１における不要な電力消費を抑制できる。すなわち、抵抗３１やコンデンサ３４等の値を適当に選定することで、制御電源回路１５０が検出部１２３とインバータ制御部１２２とに間歇的に供給する電力について、Ｖｃｃゼロ出力期間Ｔ２０（継続停止期間）とＶｃｃ出力期間Ｔ１０（継続供給期間）との比率を予め設定した所定の範囲以内として、不要な電力消費を抑制できる。
【０１０１】
（放電灯を正常品に置換した場合）
（１）時間ｔ３０で不良品から正常品の放電灯１１に置換したものとする（Ｓ４０１）。そして、図７（ｅ）の時間ｔ３０〜ｔ３１に示すようにコンデンサ３４が充電され、時間ｔ３１で制御電源Ｖｃｃが出力されたとする（Ｓ４０２）。その場合には、このＶｃｃ出力発生のタイミングで、検出部１２３が正常放電灯へ置換されたかどうかを検出する（Ｓ４０３）。
（２）この場合、Ｓ４０１において放電灯１１は、正常品に置換されているので、検出部１２３から、不揮発性メモリ１２４に「正常」が記録されることと連動して、以降、インバータ回路１１０は、発振動作を継続する。具体的には次の様である。
（３）検出部１２３は、制御電源回路１５０から間歇的に供給される電力の供給タイミングに対応して放電灯が置換されたかどうかを検出する。インバータ制御部１２２は、検出部１２３が制御電源回路１５０から間歇的に供給される電力に基づいて放電灯の置換を検出した場合には、動作の停止を継続させたインバータ回路１１０を制御電源回路１５０から間歇的に供給される電力を契機として再び動作させて高周波電力を出力させる。この場合、制御電源回路１５０は、インバータ制御部１２２が再び動作させたインバータ回路１１０の出力する高周波電力を入力し、入力した高周波電力に基づいてインバータ制御部１２２と検出部１２３とに電力を供給する。検出部１２３は、高周波電力に基づく供給電力によって、置換された放電灯が正常状態にあるかどうかを検出する。本設例では正常な放電灯に置換されるのが前提であるから、検出部１２３は、正常状態にあることを検出する（Ｓ４０４）。
（４）Ｓ４０５において、検出部１２３が放電灯を正常と検出したことに伴い、不揮発性メモリ１２４には「正常」が記録される（Ｓ４０５）。
（５）Ｓ４０６において、不揮発性メモリ１２４に「正常」と記録されたことにより、インバータ制御部１２２は動作を継続し、インバータ回路１１０は発振動作を継続する（Ｓ４０６）。
【０１０２】
インバータ回路１１０が動作を再開することにより、スナバ回路１１５の「接続点ａ」から高周波電力が出力され、Ｖｃｃ出力が安定化するとともに、昇圧チョッパ回路１００も動作を再開し、以降、電源投入時と同様に、放電灯１１が正常点灯する。
【０１０３】
また、Ｖｃｃ出力がゼロになるＶｃｃゼロ出力期間Ｔ２０を「１秒」程度以下に設定することにより、放電灯１１を不良品から正常品に置換する際に、置換作業者の作業時間（放電灯の置換及び点灯確認）に影響を及ぼすことを無くすことができる。すなわち、抵抗３１、コンデンサ３４等の値を適当に選定することにより、制御電源回路１５０が検出部１２３とインバータ制御部１２２とに間歇的に供給する電力について、Ｖｃｃゼロ出力期間Ｔ２０（継続停止期間）を、例えば１秒（設定値の一例）に設定する。このように、Ｖｃｃゼロ出力期間Ｔ２０を、例えば１秒以下となるようにすることで、置換作業者が不良ランプを正常ランプに交換した場合には、正常ランプはすぐに（１秒以内に）正常点灯することになる。このため置換作業者は、置換後すぐ正常点灯を確認することができるので、点灯を確認するための無駄な時間が発生することがない。
【０１０４】
なお、放電灯点灯装置２０００では不揮発性メモリを用いる場合を示した。しかし、これは一例であり、マイコン制御部１２０のメモリに別の電源で連続的に電力を供給することで、必ずしも不揮発性のメモリを用いる必要はなくなり、放電灯１１の不良期間の消費電力の増加も微増にすることができる。
【０１０５】
以上のように、本実施の形態２によれば、放電灯１１の不良期間Ｔ１では、インバータ回路１１０及び昇圧チョッパ回路１００の動作を停止して放電灯１１が不良状態での不要な電力消費を抑制するとともに、マイコン制御部１２０への制御電源Ｖｃｃの供給も間歇的に行うことにより、更に不要電力の消費を抑制できる。
【０１０６】
また、ＶｃｃがゼロになるＶｃｃゼロ出力期間Ｔ２０を１秒程度以下に設定することで、放電灯１１を不良品から正常品に置換した際に置換者の作業時間（放電灯の置換及び点灯確認）に影響を及ぼすことを無くすことができる。
【０１０７】
以上に説明した実施の形態の放電灯点灯装置は、上記のように構成されているので、次の効果を奏する。放電灯と上記放電灯を点灯させる昇圧回路とインバータ回路を含む放電灯点灯回路と、上記放電灯点灯回路を制御する制御回路と、上記放電灯の不良を検出する不良検出回路と、上記不良検出回路の不良検出を記録するメモリとを備え、上記放電灯の不良検出時には上記放電灯点灯回路の出力を停止するとともに、上記制御回路の駆動電源（Ｖｃｃ）を間歇的に印加し、上記Ｖｃｃの印加期間中に正常放電灯への置換を検出して、置換を検出した場合に上記放電灯点灯回路の再起動と上記メモリの不良検出記録をクリアするようにした。よって、放電灯１１の不良期間Ｔ１では、インバータ回路１１０及び昇圧チョッパ回路１００の動作を停止し、放電灯１１が不良状態での不要な電力消費を抑制するとともに、マイコン制御部１２０への制御電源Ｖｃｃの供給も間歇的に行うことにより更に不要電力の消費を抑制できる。
【０１０８】
以上のように、本実施の形態２の放電灯点灯装置２０００は、放電灯と放電灯を点灯させる昇圧回路とインバータ回路を含む放電灯点灯回路と、上記放電灯点灯回路を制御する制御回路と、上記放電灯の不良を検出する不良検出回路と、上記不良検出回路の不良検出を記録するメモリとを備え、上記放電灯の不良検出時には上記放電灯点灯回路の出力を停止するとともに、上記制御回路の駆動電源（Ｖｃｃ）を間歇的に印加し、上記Ｖｃｃの印加期間中に正常放電灯への置換を検出して、置換を検出した場合に上記放電灯点灯回路の再起動と上記メモリの不良検出記録をクリアするようにした。また実施の形態２の放電灯点灯装置２０００は、上記放電灯不良検出時、駆動電源（Ｖｃｃ）のＶｃｃゼロ出力期間Ｔ２０を概略１秒以下にするようにした。
【０１０９】
以上の実施の形態では、放電灯と上記放電灯を点灯させる昇圧回路とインバータ回路を含む放電灯点灯回路と、上記放電灯点灯回路を制御する制御回路と、上記放電灯の不良を検出する不良検出回路と、上記不良検出回路の不良検出を記録するメモリとを備え、上記放電灯の不良検出時には上記放電灯点灯回路の出力を停止するとともに、上記制御回路の駆動電源（Ｖｃｃ）を間歇的に印加し、上記Ｖｃｃの印加期間中に正常放電灯への置換を検出して、置換を検出した場合に上記放電灯点灯回路の再起動と上記メモリの不良検出記録をクリアする放電灯点灯装置を説明した。
【０１１０】
以上の実施の形態では、上記放電灯の不良検出時において、駆動電源（Ｖｃｃ）のＶｃｃゼロ出力期間Ｔ２０を概略１秒以下にする放電灯点灯装置を説明した。
【０１１１】
実施の形態３．
次に、図８〜図１８を用いて実施の形態３を説明する。実施の形態１、実施の形態２では、間歇的に制御電源を供給する制御電源回路１５０について説明した。実施の形態１、実施の形態２では、検出部１２３が放電灯１１の不良状態を検出した場合に制御電源回路１５０が間歇的出力を開始する構成であった。
【０１１２】
これに対して実施の形態３は、次の（Ａ）、（Ｂ）の内容である。
（Ａ）リモコン送信機（以下、リモコンという）により放電灯の消灯を指示する消灯信号を送信し、放電灯点灯装置が消灯信号を受信した場合に、制御電源回路１５０が間歇的出力を開始する実施形態である。
（Ｂ）さらに、制御電源回路１５０の間歇出力時においてリモコンから信号が送信された場合に、この信号の一部を確認することで動作の開始可能な放電灯点灯装置に関する。
【０１１３】
図８は、実施の形態３の照明制御システム５００を示す図である。実施の形態３の照明制御システム５００は、所定の信号を生成して送信するリモコン３００（送信装置）と、リモコン３００の送信した信号を受信し、受信した信号にしたがって動作する照明器具４００とから構成される。照明器具４００は、後述する放電灯点灯装置３０００を内蔵する。
【０１１４】
図８に示すように、リモコン３００は、「点灯」、「暗く」、「明るく」、「豆球」、「消灯」などのキーを有する。また、図９に示すように、リモコン３００は、信号を生成する信号生成部３０１と、信号生成部３０１が生成した信号を送信する送信部３０２とを備える。ユーザが、「点灯」、「消灯」などのキーを押すと、信号生成部３０１が対応する信号を生成し、送信部３０２が生成された信号を送信する。なお、リモコン３００が送信する信号は、赤外線とする。
【０１１５】
照明器具４００は、リモコン信号受光部１２０−１２を備えている。リモコン信号受光部１２０−１２が、リモコン３００の送信した赤外線を受信する。
【０１１６】
図１０は、実施の形態３における放電灯点灯装置３０００の構成を示す図である。
放電灯点灯装置３０００は、実施の形態２における図３の放電灯点灯装置２０００に対して、マイコン制御部１２０の内部構成が異なる。その他は、同じ構成である。
【０１１７】
図１０に示すように、放電灯点灯装置３０００のマイコン制御部１２０は、リモコン信号受信回路１２０−１と、ドライブ回路１２０−２と、ＰＦＣ１２１とを備える。このＰＦＣ１２１は、図３における昇圧チョッパ制御部１２１に同じである。
【０１１８】
また、リモコン信号受信回路１２０−１は、リモコン信号受光部１２０−１２（受信部）と、マイクロコンピュータ１２０−１１（信号処理部）とを備える。
（１）リモコン信号受光部１２０−１２は、リモコン３００の送信した信号を受信する。
（２）マイクロコンピュータ１２０−１１は、制御電源回路１５０から電力の供給（Ｖｃｃ）を受けることにより、リモコン信号受光部１２０−１２が受信した信号を解読し、解読した信号にしたがって、インバータ回路１１０のスイッチング素子７，８の発振を制御する制御信号をドライブ回路１２０−２に出力する。
【０１１９】
ドライブ回路１２０−２は、マイクロコンピュータ１２０−１１が出力する制御信号をインバータ回路１１０のスイッチング素子７，８を駆動する駆動信号に変換し、インバータ回路１１０に出力することによりインバータ回路を駆動する。さらに詳しく説明すれば、ドライブ回路１２０−２は、マイクロコンピュータ１２０−１１から出力される矩形波電圧（制御信号）を、「直列に接続されたＮＰＮトランジスタ、及び、ＰＮＰトランジスタで形成されるトーテムポール出力で、その出力電圧をインダクタの１次側に印加し、互いに極性の異なる前記インダクタの２次側」（これらは図示していない）から出力される電圧（駆動信号）により、インバータ回路１１０のスイッチング素子７，８を交互にスイッチングさせる。
【０１２０】
なお、図１０に示す制御電源回路１５０は、実施の形態２の図３の場合と同様に、整流回路であるダイオードブリッジ２から供給される電力である整流回路供給電力３１１と、インバータ回路１１０から供給される高周波電力であるインバータ供給電力３１２との双方が供給されている場合には、制御電圧Ｖｃｃを連続的に出力する（図７（ｂ）、（ｄ））。一方、制御電源回路１５０は、整流回路供給電力３１１のみが供給されている場合には、即ちインバータ回路１１０が停止している場合には、間歇的に出力を行なう（図７（ｂ）、（ｄ））。実施の形態３においても、実施の形態２と同様に、これが前提である。
【０１２１】
図１１は、図１０に対して制御電源回路１５０の回路構成を具体的に示した図である。前記のように、制御電源回路１５０の回路構成は、図３の場合と同様である。
【０１２２】
（点灯状態→消灯状態への遷移）
次に図１２、図１３を用いて、放電灯点灯装置３０００が放電灯の点灯中にリモコン３００から消灯を指示する「消灯信号」を受信して、制御電源回路１５０が間歇的出力にいたるまでの動作を説明する。図１２は、放電灯点灯装置３０００の動作を説明するフローチャートである。図１３の（ａ）は，制御電源回路１５０の出力を示し、（ｂ）は、リモコン受信信号を示す。
【０１２３】
放電灯点灯装置３０００が放電灯１１の点灯状態（すなわち、インバータ回路１１０の動作中）にリモコン３００が消灯信号を送信する場合を想定する。
【０１２４】
この場合、インバータ回路１１０は動作中である。よって、インバータ供給電力３１２が供給されているので、図１３（ａ）に示すように、制御電源回路１５０により制御電源Ｖｃｃが連続的に印加されている。また、図１３（ｂ）は、リモコン受信信号の波形を示す。リモコン３００から送信される信号は、ノイズ等による不動作を避けるため、複数回同じ信号が送信される。図１３（ｂ）のリモコン信号第１波〜リモコン信号第３波が、複数回の同じ信号を示している。このリモコン信号は、リモコン信号第１波のように、時間的長さを有する。図１３（ａ）に示すように、制御電源回路１５０によりマイクロコンピュータ１２０−１１に制御電源Ｖｃｃが連続して供給されている場合には、マイクロコンピュータ１２０−１１は、全ての信号（第１波〜第３波）をリモコン信号受光部１２０−１２を介して受信し、解読することが可能である。
【０１２５】
図１３の状態において、リモコン信号受光部１２０−１２が消灯信号を受信する（Ｓ５０１）。マイクロコンピュータ１２０−１１は、リモコン信号受光部１２０−１２が消灯信号を受信すると、その信号を解読する。解読した信号がインバータ回路１１０の動作停止を指示する消灯信号と判定すると、マイクロコンピュータ１２０−１１は、インバータ回路１１０の動作を停止させる制御信号をドライブ回路１２０−２に出力する（Ｓ５０２）。ドライブ回路１２０−２は、この信号を入力するとインバータ回路１１０の駆動を停止する（Ｓ５０３）。駆動停止によりインバータ回路１１０の発振が停止し、高周波電力の出力が停止する。制御電源回路１５０は、インバータ回路１１０による高周波電力（インバータ供給電力３１２）の出力停止に対応して、マイクロコンピュータ１２０−１１への制御電源Ｖｃｃの間歇的出力を開始する（Ｓ５０４）。制御電源回路１５０の間歇的出力は、後述のようにリモコン３００からの信号を受信するまで続く（Ｓ５０５）。図１４は、このインバータ供給電力の供給停止による間歇出力の開始動作の過程を示すフローチャートである。動作内容は、図５と同じ内容であるので説明は省略する。図１４は、図５から関連するステップを抜き出したフローチャートであり、ステッ番号は図５のものである。
【０１２６】
（消灯状態→点灯状態への遷移）
次に、図１５〜図１８を用いて、リモコン信号受光部１２０−１２がリモコン信号を受信することにより、制御電源回路１５０が間歇的出力状態から連続的出力状態となる場合を説明する。
【０１２７】
図３で示した制御電源回路１５０は、インバータ回路１１０の発振停止時には制御電源Ｖｃｃに間歇的な電圧を印加することにより、待機電力が減少する（図６（ｂ）、図７（ｂ））。しかし、マイクロコンピュータ１２０−１１の制御電源として間歇的な制御電源を用いる場合、図８の照明制御システム５００ようにリモコンを使用しようとする場合には照明器具４００側（マイクロコンピュータ１２０−１１）では、次のような不都合が生じる。すなわち、マイクロコンピュータ１２０−１１は、制御電源Ｖｃｃが立ち上がっている期間しかリモコンからの信号を検出することができない。すなわち、マイクロコンピュータ１２０−１１は、制御電源回路１５０から間歇的に供給される電力が供給状態である期間中（図７（ａ）のＶｃｃ出力期間Ｔ１０）でなければ、動作することはできない。
【０１２８】
図１３に示したように、インバータ回路１１０が動作している「全光点灯状態」から「消灯状態」へリモコン３００による切り替えようとする場合は、安定した制御電源Ｖｃｃが供給されている（Ｖｃｃ連続供給状態）ため、なんら問題なくマイクロコンピュータ１２０−１１を動作させ、インバータ回路１１０を制御（停止）できる。ところが、リモコン３００により「消灯状態」から「点灯状態」へ切り替えようとする場合、「消灯状態」ではインバータ回路１１０が停止しているため、マイクロコンピュータ１２０−１１の制御電源Ｖｃｃは間歇的な電源となっている。このため、なんらかの対策をしない場合は、マイクロコンピュータ１２０−１１は、リモコン３００からの信号の解読終了前に電源がなくなり、再度点灯状態に復帰することができないこととなる。図１５を用いて詳しく説明する。
【０１２９】
図１５（ａ）は、制御電源Ｖｃｃが間歇的に印加されている場合を示す。例えば、インバータ回路１１０が消灯のため動作を停止している場合である。図１５の（ａ）は制御電源回路１５０の間歇的出力を示し、（ｂ）は、リモコン信号受光部１２０−１２が受信するリモコン信号の波形を示している。（ｂ）に示すように、リモコン信号は時間的長さを有する。リモコン３００からの信号は、第１波から第３波までの複数回の信号が送信される。しかし、出力のないＶｃｃゼロ出力期間Ｔ２０と、リモコン信号の時間的長さとの関係から、マイクロコンピュータ１２０−１１がリモコン信号を解読できない状況が生じる。すなわち、制御電源Ｖｃｃが立ち上がっている期間（Ｖｃｃ出力期間Ｔ１０）に所定の時間的長さを有するリモコン信号全体を受信できない状況が生じる。例えば、制御電源Ｖｃｃが立ち上がっている期間中（Ｖｃｃ出力期間Ｔ１０）にリモコン信号第１波の全体を受信できない。他のリモコン信号（２波、３波）についても同様である。このため、例えば、このリモコン信号が全光点灯を指示する「全光点灯信号」であったとしても、マイクロコンピュータ１２０−１１は信号を解読できないので、インバータ回路１１０は動作せずに消灯状態を継続することとなる。
【０１３０】
そこで、その対策を図１６のフローチャート、及び図１７を参照して説明する。
図１６は、放電灯点灯装置３０００の消灯状態から点灯状態への動作を示すフローチャートである。また図１７は、マイクロコンピュータの信号検知動作を示す図である。（ａ）は、制御電源回路１５０の出力を示す。（ａ）において「Ｖｃｃ出力期間Ｔ１０−１」は、インバータ回路１１０からのインバータ供給電力３１２の出力がない場合には、間歇的な出力部分であることを示している。インバータ回路１１０からのインバータ供給電力３１２の出力がない場合、（ｂ）の時刻ｔａ以降は、「Ｖｃｃゼロ出力期間」となる。
【０１３１】
マイクロコンピュータ１２０−１１は、制御電源Ｖｃｃが有効期間（Ｖｃｃ出力期間Ｔ１０−１）にリモコン信号受光部１２０−１２を介して点灯を指示するリモコン信号（点灯信号）の受信を検知すると（Ｓ６０１）、Ｖｃｃ出力期間Ｔ１０−１の制御電力に基づいて、動作の停止を継続させていたインバータ回路１１０を再び動作させて高周波電力を出力させる。すなわち、マイクロコンピュータ１２０−１１は、Ｖｃｃ出力期間Ｔ１０−１においてリモコン信号受光部１２０−１２を介してリモコン信号の一部（（ｂ）１波のハッチング部分）を検知すると、ドライブ回路１２０−２に制御信号を出力する（Ｓ６０２）。ドライブ回路１２０−２は、この制御信号を入力するとインバータ回路１１０に駆動信号を出力して、インバータ回路１１０を駆動する（Ｓ６０３）。インバータ回路１１０の動作開始によりａ点から高周波電力（インバータ供給電力）が制御電源回路１５０に供給され始める。そして、制御電源回路１５０は、インバータ回路１１０の出力する高周波電力を入力し、入力した高周波電力に基づいてマイクロコンピュータ１２０−１１に制御電源Ｖｃｃを連続的に供給し、これを継続する（Ｓ６０４、Ｓ６０５）。図１７（ａ）の時刻ｔａ以降の制御電源Ｖｃｃの連続出力により、マイクロコンピュータ１２０−１１は、インバータ回路１１０を動作を継続させ、放電灯を点灯させることが可能となる。
【０１３２】
このようにマイクロコンピュータ１２０−１１が、リモコン３００が送信した信号の一部を認識した場合にはインバータ回路１１０を動作させ、制御電源Ｖｃｃを安定した状態にする。そして、その後、図１７（ｂ）に示すように、連続的に受信するリモコン３００からの信号を認識するものである。図１７では、マイクロコンピュータ１２０−１１は、第１波の信号の一部を認識してインバータ回路１１０を動作させて制御電源Ｖｃｃを安定させる。これによって、第２波、第３波の認識が可能となる。
【０１３３】
このとき、インバータ回路１１０の動作周波数（発振周波数）は、放電灯１１の点灯周波数に近い周波数を用いると放電灯１１が点灯し、または、微放電等をし、外部から見て違和感を与えることになる。そこで、放電灯１１が点灯せず、または、微放電等をしない予熱周波数以上の周波数でインバータ回路１１０を発振動作させるようにマイクロコンピュータ１２０−１１を設定しておくことが望ましい。このようにマイクロコンピュータ１２０−１１は、動作の停止を継続させていたインバータ回路１１０を再び動作させる場合には、予め設定された所定の発振周波数でインバータ回路１１０を動作させることが特徴である。図１７（ｄ）は、マイクロコンピュータ１２０−１１がリモコン信号第１波の一部を検知して、放電灯１１が点灯しない「予熱周波数を越える周波数ｆ」でインバータ回路１１０を動作させ、次に、リモコン信号第２波の解読の結果、点灯を指示していると判定したため予熱し点灯させる状態を示している。
【０１３４】
図１７（ｄ）の点灯周波数以降の状態では、放電灯１１は点灯している。これは、図１２のＳ５０１において、消灯信号を受信するときの状態になっている。この後、消灯信号をリモコン３００から受信すると、図１２のフローチャートの動作を実行する。また、間歇出力の状態でリモコン３００から「全光点灯信号」を受信すると図１６のフローチャートの動作となる。このように、間歇的出力を行なう制御電源回路１５０を使用する場合にも、リモコン操作により、放電灯の消灯、点灯を制御することが可能である。
【０１３５】
なお、放電灯点灯装置３０００に交流電源である入力電源１が投入された時点では、インバータ回路１１０は動作せず、したがって制御電源回路１５０は整流回路供給電力３１１のみを入力し、間歇的出力状態であるとする。
【０１３６】
図１８は、リモコン信号がダミー信号を有する場合を示す図である。リモコン３００の信号が単発の場合（第１波のみ単発で出力する仕様の場合）、リモコン信号のヘッダ部分に制御電源Ｖｃｃが無効（ゼロ出力期間Ｔ２０）になっている間以上のリーダ部（ダミー信号）を配置する。マイクロコンピュータ１２０−１１は、制御電源Ｖｃｃが立ち上がっている場合にダミー信号の一部を検知すると、図１７の場合と同様に動作する。これにより、リモコン信号が単発仕様の場合にも、複数同じ信号を発生する場合と同様の効果を得ることができる。
【０１３７】
このように、実施の形態３の放電灯点灯装置３０００により、放電灯の消灯時の待機電力を低下させ、且つ、リモコンからの信号を正確に受信して動作することが可能となる。
【０１３８】
実施の形態３の放電灯点灯装置３０００は、リモコン信号に基づきインバータ回路が動作を停止すると間歇的出力を開始する制御電源回路を備えたので、待機電力の低減を図ることができる。
【０１３９】
実施の形態３の放電灯点灯装置３０００は、マイクロコンピュータが、制御電源の供給を受けている場合にリモコン信号の一部を検知するとインバータ回路を動作させる。そして、制御電源回路が、インバータ回路の動作開始に伴って制御電源を連続して出力するようになる。そのため、間歇出力を行なう制御電源回路を備える場合にも、リモコン操作が可能となり、待機電力の低減とともに、リモコン使用による使い勝手の良さを維持することができる。
【０１４０】
実施の形態３の放電灯点灯装置３０００は、マイクロコンピュータが、制御電源の供給を受けている場合にリモコン信号の一部を検知すると、放電灯が点灯しない所定の周波数でインバータ回路を動作させる。これにより、インバータ回路の発振により制御電源回路を連続出力とする場合、放電灯の不必要な点灯を回避することができる。
【０１４１】
実施の形態３の放電灯点灯装置３０００は、放電灯が点灯しない所定の周波数でインバータ回路が動作している場合に、マイクロコンピュータが、リモコン信号受光部が信号を受信すると、その信号を解読し、解読した信号の解読結果にしたがってインバータ回路の動作を制御する。このため、確実に消灯から点灯モードに移行することができる。
【０１４２】
実施の形態３の照明制御システムは、照明器具の放電灯点灯装置がリモコン信号に基づきインバータ回路が動作を停止すると間歇的出力を開始する制御電源回路を備えたので、待機電力の低減を図ることができる。
【０１４３】
実施の形態３の照明制御システムは、リモコンがダミー信号を生成して送信するので、
リモコンが信号を単発で送信する場合にもリモコン操作が可能となる。
【０１４４】
以上、実施の形態３では、インバータ回路により直流電源を高周波電源に変換して放電灯を点灯させる放電灯点灯装置であって、インバータ回路の制御にマイクロコンピュータを用いる放電灯点灯装置において、インバータ回路の発振停止状態においては、マイクロコンピュータの制御電源に一定の周期の間歇的な制御電源Ｖｃｃを印加することにより待機電力を低下し、インバータ回路の点灯動作時には、このインバータ回路から帰還される電圧を制御電源Ｖｃｃとすることを特徴とする放電灯点灯装置を説明した。この放電灯点灯装置は、マイクロコンピュータが間歇的な制御電源Ｖｃｃの立ち上がり毎にリモコンからの信号を検出し、信号を検出した場合にはインバータ回路をランプが点灯しない程度の高周波で発振させ、連続した制御電源を得ることを特徴とするものである。
【図面の簡単な説明】
【０１４５】
【図１】実施の形態１の放電灯点灯装置１０００を示すブロック図。
【図２】実施の形態１の動作を説明するシーケンス図。
【図３】実施の形態２の放電灯点灯装置２０００を示す回路図。
【図４】実施の形態２の放電灯点灯装置２０００の動作を示すフローチャート。
【図５】実施の形態２の放電灯点灯装置２０００の動作を示すフローチャート。
【図６】実施の形態２の放電灯点灯装置２０００の動作を示す波形図。
【図７】図６の拡大波形図。
【図８】実施の形態３における照明制御システム５００の構成図。
【図９】実施の形態３におけるリモコン３００の構成図。
【図１０】実施の形態３における放電灯点灯装置３０００の回路図。
【図１１】実施の形態３における放電灯点灯装置３０００の詳しい回路図。
【図１２】実施の形態３における点灯から消灯への動作を示すフローチャート。
【図１３】実施の形態３における連続出力の制御電源と受信信号との関係を示す図。
【図１４】実施の形態３における制御電源が間歇出力にいたるフローチャート。
【図１５】実施の形態３における間歇出力の制御電源と受信信号との関係を示す図。
【図１６】実施の形態３における消灯から点灯への動作を示すフローチャート。
【図１７】実施の形態３におけるマイクロコンピュータの信号検知動作を示す図。
【図１８】実施の形態３におけるリモコン信号がダミー信号を有する場合の図。
【図１９】従来例を示す回路図。
【図２０】従来例の動作を説明する波形図。
【符号の説明】
【０１４６】
１  入力電源、２  ダイオードブリッジ、３  チョークコイル、４  ダイオード、５  スイッチング素子、６  コンデンサ、７，８  スイッチング素子、９  カップリングコンデンサ、１０  チョークコイル、１１  放電灯、１２，１５  コンデンサ、１６  ダイオード、２１  ダイオードブリッジ、２２  コンデンサ、２３  ３端子レギュレータ、３１，３８，３９，４２，４３，４４，４９  抵抗、３２，３３，４８  ダイオード、３５，４５，４７  ツエナーダイオード、３４，３６，３７，５０  コンデンサ、４０  ＰＮＰトランジスタ、４１，４６  ＮＰＮトランジスタ、５１，５２  間歇出力、１００  昇圧チョッパ回路、１１０  インバータ回路、１１１  負荷回路、１２０  マイコン制御部、１２１  昇圧チョッパ制御部、１２２  インバータ制御部、１２３  検出部、１２４  不揮発性メモリ、１３０  制御電源回路、１５０  制御電源回路、１０００，２０００，５０００  放電灯点灯装置、１２０−１  リモコン信号受信回路、１２０−１１  マイクロコンピュータ、１２０−１２  リモコン信号受光部、１２０−２  ドライブ回路、３００  リモコン、３０１  信号生成部、３０２  送信部、３１１  整流回路供給電力、３１２  インバータ供給電力、４００  照明器具、５００  照明制御システム。
【図１】
2007227335.tif 000003
【図２】
2007227335.tif 000004
【図３】
2007227335.tif 000005
【図４】
2007227335.tif 000006
【図５】
2007227335.tif 000007
【図６】
2007227335.tif 000008
【図７】
2007227335.tif 000009
【図８】
2007227335.tif 000010
【図９】
2007227335.tif 000011
【図１０】
2007227335.tif 000012
【図１１】
2007227335.tif 000013
【図１２】
2007227335.tif 000014
【図１３】
2007227335.tif 000015
【図１４】
2007227335.tif 000016
【図１５】
2007227335.tif 000017
【図１６】
2007227335.tif 000018
【図１７】
2007227335.tif 000019
【図１８】
2007227335.tif 000020
【図１９】
2007227335.tif 000021
【図２０】
2007227335.tif 000022